(57)【要約】【課題】電磁誘導加熱調理器の電力設定値を最小に設定して調理を行ったときに鍋検出回路の判別精度に問題が生じ動作が停止して調理ができない。【解決手段】インバータ回路の出力電圧と出力電流との位相差を検出して位相差検出信号を出力する位相差検出回路と、位相差検出信号の値が予め定めた位相差判別信号よりも大きいときに鍋が載置されていないと判別して鍋無検出信号を出力してインバータ駆動回路の駆動を止めて高周波電流の供給を停止する鍋検出回路とを具備した電磁誘導加熱調理器において、インバータ回路の出力周波数が予め定めた周波数判別信号より高いときに鍋無検出信号に関係なくインバータ駆動回路ＳＤを駆動させ、出力周波数が上記周波数判別信号より低いときに鍋無検出信号に応じてインバータ駆動回路の駆動を制御する周波数対応鍋検出制御回路を具備したことを特徴とする電磁誘導加熱調理器である。【選択図】    図１
2004253297.tif 000002
【特許請求の範囲】
【請求項１】
共振コンデンサと、前記共振コンデンサとで直列共振を形成する誘導加熱コイルと、商用交流電源を整流して直流電圧に変換する整流回路と、前記整流回路の直流電圧を入力として前記誘導加熱コイルに高周波電流を供給するインバータ回路と、前記インバータ回路の入力電力を演算して電力演算信号を出力する電力演算回路と、予め定めた電力設定信号を出力する電力設定回路と、前記電力演算信号と前記電力設定信号とを差動増幅する差動増幅回路と、前記差動増幅信号に応じて前記インバータ回路の出力周波数を制御するインバータ駆動回路と、前記インバータ回路の出力電圧と出力電流との位相差を検出して位相差検出信号を出力する位相差検出回路と、前記位相差検出信号の値が予め定めた位相差判別値よりも大きいときに鍋が載置されていないと判別して鍋無検出信号を出力して前記インバータ駆動回路の駆動を止めて前記高周波電流の供給を停止する鍋検出回路とを具備し、前記誘導加熱コイル上に載置した前記鍋を電磁誘導作用で加熱する電磁誘導加熱調理器において、前記インバータ回路の出力周波数が予め定めた周波数判別値より高いときに前記鍋検出回路の動作を停止させ、前記出力周波数が前記周波数判別値より低いときに前記鍋検出回路を動作させる周波数対応鍋検出制御回路を具備したことを特徴とする電磁誘導加熱調理器。
【請求項２】
前記インバータ回路の出力電流が予め定めた電流判別値より小さいときに前記鍋検出回路の動作を停止させ、前記出力電流が前記電流判別値より大きいときに前記鍋検出回路を動作させる電流対応鍋検出制御回路を前記周波数対応鍋検出制御回路に置換したことを特徴とする請求項１の電磁誘導加熱調理器。
【請求項３】
前記電力設定信号が予め定めた電力判別値より小さいときに前記鍋検出回路の動作を停止させ、前記電力設定信号が前記電力判別値より大きいときに前記鍋検出回路を動作させる電力対応鍋検出制御回路を前記周波数対応鍋検出制御回路に置換したことを特徴とする請求項１の電磁誘導加熱調理器。
【請求項４】
前記鍋検出回路の鍋無検出信号が前記インバータ駆動回路に入力されているときに、表示器によって鍋無し状態を表示することを特徴とする請求項１又は請求項２又は請求項３の電磁誘導加熱調理器。
【発明の詳細な説明】
【０００１】
【発明の属する技術分野】
本発明は、インバータ回路を使用して誘導加熱コイルに高周波電流を供給し電磁誘導で調理鍋を加熱する電磁誘導加熱調理器に係り、特に、誘導加熱コイルの上面のトッププレートに載置される鍋の有無を判別する技術に関する。
【０００２】
【従来の技術】
図８は、従来技術の電磁誘導加熱調理器の電気接続図である。図８において、１は商用電源、２は商用電源１を整流する整流回路、１０は整流回路２の出力を直流に平滑する平滑回路３と、誘導加熱コイル４と、共振コンデンサ４と、バイポーラトランジスタと逆並列ダイオードを有するスイッチング素子６を有するインバータ回路、７はスイッチング素子６のオンオフを制御する発振制御部、８は誘導加熱コイル４と磁気結合された負荷が適切か不適切かを判定する負荷検知装置、９は発振制御部７への負荷検知装置８の出力信号を入り切りするスイッチである。
【０００３】
通常使用者は、スイッチ９を閉じた状態にしておく、負荷が適切である場合は負荷検知装置から信号は出力されず、発振制御部７はスイッチング素子６を駆動し、スイッチング素子６は誘導加熱コイル４に通電し負荷の過熱を行う。ナイフやフォーク等を誤って置いた等不適負荷である場合は負荷検知装置８は信号を出力し、発振制御部７はスイッチング素子６への発振を停止し、不適負荷の場合は加熱されない。
【０００４】
次に負荷検知装置８により不適と判定される負荷、例えば形状の小さい負荷を加熱しようとする場合について説明する。使用者はスイッチ９を開いた状態にする。負荷検知装置８は不適負荷と判定し、信号を出力する。しかしスイッチ９が開いているため、発振制御部７には前記信号は入力されず、発振制御部７はスイッチング素子６への発振を行い、スイッチング素子６は誘導加熱コイル４に通電し不適負荷を加熱する。ただし、使用者がスイッチ９を閉じるのを忘れて開いた状態にしておくと不適負荷を加熱してしまう。（特許文献１参照）
【０００５】
従来技術２の電磁誘導加熱調理器は、インバータ回路の出力電圧と電流との位相差を検出する位相差検出回路と、電流が電流設定器の設定値を越えたときインバータの出力周波数を上昇させ電流を上記設定値以下に保持する電流保持回路と、上記位相差検出値と位相差設定器の位相差設定値とを比較し、上記検出値が設定値より大のとき負荷容器が非磁性材料または無負荷であると判定し、上記検出値が設定値以下のとき負荷容器が磁性材料であると判定する負荷判別回路を備えたものである。ただし、インバータ回路の出力周波数が高くなると上記位相差検出値の精度が悪くなる。
【０００６】
【特許文献１】
特開平５−１０９４７号公報
【０００７】
【発明が解決しようとする課題】
従来の電磁誘導加熱調理器では、トッププレート上に鍋等の載置を電気的に検出し、鍋無しと判別した場合は、電力の浪費防止等の目的でインバータの出力を停止する処置を行っていた。しかし、電力設定値を最小に設定して調理を行ったときに下記に示す鍋検出回路の判別精度に問題がありインバータ回路の出力が停止され調理ができないという問題があった。また、鍋の径の大きさの違いによって小さい鍋を鍋無しと判別してしまう問題があった。
【０００８】
【課題を解決するための手段】
請求項１の発明は、共振コンデンサＣ２及びＣ３と、上記共振コンデンサＣ２及びＣ３とで直列共振を形成する誘導加熱コイルＨＬと、商用交流電源を整流して直流電圧に変換する整流回路ＤＲ１と、上記整流回路ＤＲ１の直流電圧を入力として上記誘導加熱コイルＨＬに高周波電流を供給するインバータ回路と、上記インバータ回路の入力電力を演算して電力演算信号Ｓａを出力する電力演算回路ＳＡと、予め定めた電力設定信号Ｐｃを出力する電力設定回路ＰＣと、上記電力演算信号Ｓａと上記電力設定信号Ｐｃとを差動増幅する差動増幅回路ＣＯと、上記差動増幅信号ΔＩに応じて上記インバータ回路の出力周波数を制御するインバータ駆動回路ＳＤと、上記インバータ回路の出力電圧Ｃｖ２と出力電流Ｃｔ２との位相差を検出して位相差検出信号Ｐｄを出力する位相差検出回路ＰＤと、上記位相差検出信号Ｐｄの値が予め定めた位相差判別信号Ｐｒの値よりも大きいときに鍋が載置されていないと判別して鍋無検出信号Ｃｐを出力して上記インバータ駆動回路ＳＤの駆動を止めて上記高周波電流の供給を停止する鍋検出回路とを具備し、上記誘導加熱コイルＨＬ上に載置した上記鍋を電磁誘導作用で加熱する電磁誘導加熱調理器において、上記インバータ回路の出力周波数が予め定めた周波数判別信号Ｆｒの値より高いときに上記鍋検出回路の動作を停止させ、上記出力周波数が上記周波数判別信号Ｆｒの値より低いときに上記鍋検出回路を動作させる周波数対応鍋検出制御回路を具備したことを特徴とする電磁誘導加熱調理器である。
【０００９】
請求項２の発明は、上記インバータ回路の出力電流が予め定めた電流判別信号Ｅｒの値より小さいときに上記鍋検出回路の動作を停止させ、上記出力電流が上記電流判別信号Ｅｒの値より大きいときに上記鍋検出回路を動作させる電流対応鍋検出制御回路を上記周波数対応鍋検出制御回路に置換したことを特徴とする請求項１の電磁誘導加熱調理器である。
【００１０】
請求項３の発明は、上記電力設定信号Ｐｃが予め定めた電力判別信号Ｐｆの値より小さいときに上記鍋検出回路の動作を停止させ、上記電力設定信号Ｐｃが上記電力判別信号Ｐｆの値より大きいときに上記鍋検出回路を動作させる電力対応鍋検出制御回路を上記周波数対応鍋検出制御回路に置換したことを特徴とする請求項１の電磁誘導加熱調理器である。
【００１１】
請求項４の発明は、上記鍋検出回路の鍋無検出信号Ｃｐが上記インバータ駆動回路ＳＤに入力されているときに、表示器ＬＥＤによって鍋無し状態を表示することを特徴とする請求項１又は請求項２又は請求項３の電磁誘導加熱調理器。
【００１２】
【発明の実施の形態】
本発明の実施の形態について、図面を参照して説明する。図１は、本発明の電磁誘導加熱調理器の電気接続図である。
【００１３】
図１において、整流回路ＤＲ１は、商用交流電源の出力を整流して直流電圧に変換し、平滑コンデンサＣ１は、直流に変換した電圧を平滑する。
【００１４】
入力電流検出回路ＩＤは、入力電流値を検出して入力電流検出信号Ｉｄを出力し、入力電圧検出回路ＩＶは、入力電圧値を検出して入力電圧検出信号Ｉｖを出力する。
【００１５】
スイッチング素子ＴＲ１及びスイッチング素子ＴＲ２は、ハーフブリッジ形のインバータ回路を形成するスイッチング素子で、例えば、ＭＯＳＦＥＴ又はＩＧＢＴが使用されている。誘導加熱コイルＨＬは共振コンデンサＣ２及び共振コンデンサＣ３とで直列共振を形成する。鍋ＰＢは誘導加熱コイルＨＬの上に載置され電磁誘導により加熱をされる。
【００１６】
インバータ駆動回路ＳＤは、制御演算回路ＳＣからの制御処算信号Ｓｃの値に応じて、パルス幅の比率が一定でパルス周波数を変調するＰＦＭ制御をして、スイッチング素子ＴＲ１、スイッチング素子ＴＲ２を交互に駆動するスイッチング素子駆動信号Ｓｄ１及びスイッチング素子駆動信号Ｓｄ２を出力する。
【００１７】
電力演算回路ＳＡは、入力電流検出信号Ｉｄと入力電圧検出信号Ｉｖとを入力してインバータの入力電力を演算する。また、電力設定回路ＰＣは、予め定めた電力設定信号Ｐｃを設定する。
【００１８】
差動増幅回路ＣＯは、電力設定信号Ｐｃと電力演算信号Ｓａとを差動増幅して、差動増幅信号ΔＩの値を出力する。制御演算回路ＳＣは、加熱スイッチＴＳから加熱開始信号Ｔｓが入力されると動作を開始し、差動増幅信号ΔＩの値に応じて演算を行い、上記差動増幅信号ΔＩの値が大きいときに制御処理信号Ｓｃの値を小さくし、逆に上記差動増幅信号ΔＩの値が小さいときは上記制御処理信号Ｓｃの値を大きくする。更に、操作パネルＯＡによって入力される予め定めた位相差設定値及び予め定めた周波数設定値を演算して、位相差判別信号Ｐｒ及び周波数判別信号Ｆｒに変換して出力する。
【００１９】
インバータ駆動回路ＳＤは、制御演算回路ＳＣから入力される制御処理演算信号Ｓｃの値が小さいとき、ＰＦＭ制御の周波数を高くして誘導加熱コイルＨＬと共振コンデンサＣ２及びＣ３からなる共振タンクのインピーダンス値を大きくして誘導加熱コイルＨＬに流れる電流を小さくする。逆に上記制御演算信号Ｓｃの値が大きいときは、ＰＦＭ制御の周波数を低くして共振タンクのインピーダンス値を小さくして誘導加熱コイルＨＬに流れる電流を大きくすることによって、誘導加熱コイルＨＬに流れる電流制御をおこなう。また、アンド回路ＡＮＤからの出力信号がＨｉｇｈレベルになると上記インバータ駆動回路ＳＤの動作を停止する。
【００２０】
鍋検出回路は、位相差検出回路ＰＤと比較回路ＣＰとで形成され、上記比較回路ＣＰは位相差検出信号Ｐｄと位相差判別信号Ｐｒとを比較して、上記位相差検出信号Ｐｄが上記位相差判別信号Ｐｒより大きいときに鍋無しと判断して鍋無検出信号Ｃｐを出力する。
【００２１】
位相差検出回路ＰＤは、図２に示すパルス化回路ＰＫと位相差・電圧変換回路ＰＥとで形成され、パルス化回路ＰＫは、図３（Ｂ）に示す出力電流検出信号Ｃｔ２の正の時間幅を図３（Ｃ）に示すパルス信号Ｐｋに変換する。出力電圧検出回路ＣＶ２は、図示省略のインバータ回路の交流出力電圧を半波整流して図３（Ａ）に示す出力電圧検出信号Ｃｖ２を出力する。位相差・電圧変換回路ＰＥは、上記パルス信号Ｐｋと上記出力電圧検出信号Ｃｖ２との位相差θを検出し、この位相差θを電圧に変換して位相差検出信号Ｐｄとして出力する。上記位相差θの値が大きいと出力電圧は高くなり、逆に位相差θの値が小さいと出力電圧は小さくなる。
【００２２】
周波数対応鍋検出制御回路は、周波数・電圧変換回路ＦＶ、第２の比較回路ＣＰ２及びアンド回路ＡＮＤによって形成され、上記周波数・電圧変換回路ＦＶは出力電圧検出信号Ｃｖ２の周波数を電圧に変換し、この周波数が高いときに出力電圧は大きくなり、逆に低いときに出力電圧は小さくなる。上記第２の比較回路ＣＰ２は、周波数・電圧変換信号Ｆｖと周波数判別信号Ｆｒとを比較して、上記周波数・電圧変換信号Ｆｖが上記周波数判別信号Ｆｒより大きいときに鍋検出制御信号Ｃｐ２をＬｏｗレベルにして出力する。アンド回路ＡＮＤは、上記鍋検出制御信号Ｃｐ２がＬｏｗレベルになると鍋無検出信号Ｃｐに関係なくインバータ駆動回路ＳＤを動作させる。
【００２３】
図３は、本発明の動作を説明する波形図である。同図において、図３（Ａ）は、出力電圧検出信号Ｃｖ２を示し、図３（Ｂ）は、鍋ＰＢが載置されているとき又は載置されていないときの出力電流検出信号Ｃｔ２を示し、図３（Ｃ）は、鍋ＰＢが載置されていないときのパルス信号Ｐｋを示し、図３（Ｄ）は、鍋ＰＢが載置されているときのパルス信号Ｐｋを示し、図３（Ｅ）は、鍋ＰＢが載置されているとき又は載置されていないときの位相差検出信号Ｐｄを示し、図３（Ｅ）は、鍋ＰＢが載置されているとき又は載置されていないときの周波数・電圧変換信号Ｆｖを示す。
【００２４】
次に、トッププレート上の鍋無し又は鍋有りを判別する動作を中心に図３に示す波形図を用いて説明する。
【００２５】
まず、電力設定信号Ｐｃの値を通常使用する予め定めた値に電力を設定して、鍋無し状態で加熱しているときに、鍋検出回路は位相差・電圧変換回路ＰＥにより図３（Ａ）の出力電圧検出信号Ｃｖ２と図３（Ｃ）のパルス信号Ｐｋとの図３（Ｄ）に示す位相差θを検出する。このとき位相差θの値は大きくなり、この位相差θを電圧に変換して図３（Ｅ）に示す、位相差検出信号Ｐｄとして出力する。比較回路ＣＰは、上記位相差検出信号Ｐｄと上記位相差判別信号Ｐｒとを比較して上記位相差検出信号Ｐｄが上記位相差判別信号Ｐｒより大きくなり、鍋無しと判断して鍋無検出信号ＣｐをＨｉｇｈレベルにしてアンド回路ＡＮＤに出力する。また、操作パネルより上記位相差判別信号Ｐｒの値を変更することにより、従来小さい鍋を鍋無しと判別していたものを鍋有りと判別することもできる。
【００２６】
周波数対応鍋検出制御回路の周波数・電圧変換回路ＦＶは、出力電圧検出信号Ｃｖ２の周波数を電圧に変換して、図３（Ｆ）に示す周波数・電圧変換信号Ｆｖを出力する。このとき電力設定信号Ｐｃが通常使用する電力に設定して、鍋無し状態で加熱しているときに誘導加熱コイルＨＬに電流が流れて上記出力電圧検出信号Ｃｖ２の周波数は低くなり、上記周波数・電圧変換信号Ｆｖの値は小さくなる。第２の比較回路ＣＰ２は、上記周波数・電圧変換信号Ｆｖと周波数判別信号Ｆｒとを比較して上記周波数・電圧変換信号Ｆｖが上記周波数判別信号Ｆｒより小さくなり鍋検出制御信号をＨｉｇｈレベルにしてアンド回路ＡＮＤに出力する。上記アンド回路ＡＮＤは、上記鍋検出制御信号Ｃｐ２と上記鍋無検出信号ＣｐとがＨｉｇｈレベルになるために出力信号をＨｉｇｈレベルにして上記インバータ駆動回路ＳＤの動作を止める。
【００２７】
電力設定信号Ｐｃの値を通常使用する電力に設定し、鍋有り状態で加熱しているとき、鍋検出回路は位相差・電圧変換回路ＰＥにより図３（Ａ）の出力電圧検出信号Ｃｖ２と図３（Ｄ）のパルス信号Ｐｋとの図３（Ｄ）に示す位相差θを検出する。このとき鍋無し状態と比較して位相差θの値は小さくなり、位相差検出信号Ｐｄは小さくなる。比較回路ＣＰは、位相差検出信号Ｐｄと位相差判別信号Ｐｒとを比較して上記位相差検出信号Ｐｄが上記位相差判別信号Ｐｒより小さくなり鍋有りと判断して鍋無検出信号ＣｐをＬｏｗレベルにしてアンド回路ＡＮＤに出力する。アンド回路ＡＮＤは、上記鍋無検出信号ＣｐがＬｏｗレベルになると出力信号はＬｏｗレベルになり、インバータ駆動回路ＳＤを動作させる。また、鍋ＰＢの径の大きさによっても上記位相差θの値が変わり、径が小さいと上記位相差θの値が大きくなる。上記より位相差判別信号Ｐｒの値によっては径の小さい鍋を鍋無し状態と判別する場合もある。また、本発明では操作パネルＯＡによって位相差判別信号Ｐｒを最適な値に設定することにより上記径の小さい鍋ＰＢでも鍋有り状態と判別することもできる。
【００２８】
電力設定信号Ｐｃの値を最小使用電力に設定して調理を行ったとき、インバータ回路の出力電圧及び出力電流の周波数が非常に高くなる。このとき位相差・電圧変換回路ＰＥによる位相差θの値は出力電圧及び出力電流の周波数が非常に高くなるために位相差検出に誤差を生じてしまい、鍋有り又は鍋無しのは判別の信頼性に問題が生じる。
【００２９】
周波数対応鍋検出制御回路は、電力設定信号Ｐｃの値が最小使用電力に設定されると、出力電圧検出信号Ｃｖ２の周波数は高くなり、周波数・電圧変換信号Ｆｖの値は大きくなる。第２の比較回路ＣＰ２は、上記周波数・電圧変換信号Ｆｖと周波数判別信号とを比較して上記周波数・電圧変換信号Ｆｖが上記周波数判別信号より大きくなり鍋検出制御信号をＬｏｗレベルにしてアンド回路ＡＮＤに出力する。上記アンド回路ＡＮＤは鍋検出制御信号Ｃｐ２がＬｏｗレベルなると上記鍋無検出信号Ｃｐに関係なく出力信号がＬｏｗレベルになり、インバータ駆動回路ＳＤを動作させる。上述より電力設定信号Ｐｃを最小使用電力に設定して調理を行っても鍋検出回路によって調理が停止することはない。このとき、ナイフやフォーク等の小物が置かれていても最小電力なので熱せれない。
【００３０】
［実施例２］
図４は、実施例２の電磁誘導加熱調理器の電気接続図である。同図において、図１に示す本発明の電磁誘導加熱調理器の電気接続図と同一符号は、同一動作をおこなうので説明は省略して相違する動作について説明する。
【００３１】
電流対応鍋検出制御回路は、電流保持回路ＥＰ、第３の比較回路ＣＰ３及びアンド回路ＡＮＤによって形成されている。
【００３２】
図５に示す電流保持回路ＥＰは、両波整流回路ＷＤ、増幅回路ＯＰ、ダイオードＤＲ２、コンデンサＣ４及び抵抗器Ｒ１によって構成されるピーク・ホールド動作を行なう。両波整流回路ＷＤは、出力電流検出信号Ｃｔ２を両波整流する。上記電流保持回路ＥＰは入力信号の最も高い信号値をコンデンサＣ４の両端に保持し、復帰抵抗Ｒ１によりコンデンサＣ４の電荷を予め定めた時間によって放電する。
【００３３】
図６は、実施例２の動作を説明する波形図である。同図において、図６（Ａ）は、出力電圧検出信号Ｃｖ２を示し、図６（Ｂ）は、鍋ＰＢが載置されているとき又は載置されていないときの出力電流検出信号Ｃｔ２を示し、図６（Ｃ）は、鍋ＰＢが載置されていないときのパルス信号Ｐｋを示し、図６（Ｄ）は、鍋ＰＢが載置されているときのパルス信号Ｐｋを示し、図６（Ｅ）は、鍋ＰＢが載置されているとき又は載置されていないときの位相差検出信号Ｐｄを示し、図６（Ｅ）は、鍋ＰＢが載置されているとき又は載置されていないときの電流保持信号Ｅｐを示す。
【００３４】
まず、電力設定信号Ｐｃの値を通常使用する電力に設定して、鍋無し状態で加熱しているときに、鍋検出回路は位相差・電圧変換回路ＰＥにより図６（Ｄ）に示す位相差θを検出する。このとき位相差θの値は大きくなり、この位相差θを電圧に変換して図６（Ｅ）に示す位相差検出信号Ｐｄとして出力する。比較回路ＣＰは、上記位相差検出信号Ｐｄと位相差判別信号Ｐｒとを比較して上記位相差検出信号Ｐｄが上記位相差判別信号Ｐｒより大きくなり鍋無しと判断して鍋無検出信号ＣｐをＨｉｇｈレベルにしてアンド回路ＡＮＤに出力する。
【００３５】
電流対応鍋検出制御回路の電流保持回路ＥＰは、出力電流検出信号Ｃｔ２のピーク電流を保持して、図６（Ｆ）に示す電流保持信号Ｅｐを出力する。このとき電力設定信号Ｐｃが通常使用する電力に設定して、鍋無し状態で加熱しているとき、誘導加熱コイルＨＬに電流が流れ電流保持信号Ｅｐは図６（Ｆ）に示すように電流判別信号Ｆｒよりも大きくなり、第３の比較回路ＣＰ３は鍋検出制御信号Ｃｐ３をＨｉｇｈレベルにしてアンド回路ＡＮＤに出力する。上記アンド回路ＡＮＤは、上記鍋検出制御信号Ｃｐ３と上記鍋無検出信号ＣｐとがＨｉｇｈレベルのために出力信号をＨｉｇｈレベルにしてインバータ駆動回路ＳＤの動作を止める。
【００３６】
電力設定信号Ｐｃの値を通常使用する電力に設定し、鍋有り状態で加熱しているとき、上記位相差θの値は小さくなる。比較回路ＣＰは、位相差検出信号Ｐｄと位相差判別信号Ｐｒとを比較して上記位相差検出信号Ｐｄが位相差判別信号Ｐｒより小さくなり鍋有りと判断して鍋無検出信号ＣｐをＬｏｗレベルにしてアンド回路ＡＮＤに出力する。アンド回路ＡＮＤは、上記鍋無検出信号ＣｐがＬｏｗレベルになると上記鍋検出制御信号Ｃｐ３に関係なく出力をＬｏｗレベルにしてインバータ駆動回路ＳＤを動作させる。
【００３７】
電流対応鍋検出制御回路は、電力設定信号Ｐｃの値が最小使用電力に設定されると誘導加熱コイルＨＬに流れる電流が小さくなり電流保持信号Ｅｐは図６（Ｆ）に示すように電流判別信号Ｆｒよりも小さくなり第３の比較回路ＣＰは、鍋検出制御信号Ｃｐ３をＬｏｗレベルにしてアンド回路ＡＮＤに出力する。上記アンド回路ＡＮＤは、上記鍋検出制御信号Ｃｐ３がＬｏｗレベルになると上記鍋無検出信号Ｃｐに関係なく出力信号をＬｏｗレベルにしてインバータ駆動回路ＳＤを動作させる。
【００３８】
［実施例３］
図７は、実施例３の電磁誘導加熱調理器の電気接続図である。同図において、図１に示す本発明の電磁誘導加熱調理器の電気接続図と同一符号は、同一動作をおこなうので説明は省略して相違する動作について説明する。
【００３９】
電力対応鍋検出制御回路は、第４の比較回路ＣＰ４及びアンド回路ＡＮＤによって形成されている。
【００４０】
第４の比較回路ＣＰ４は、電力設定信号Ｐｃと電力判別信号Ｐｆとを比較して鍋検出制御信号Ｃｐ４を出力する。
【００４１】
電力対応鍋検出制御回路は電力設定信号Ｐｃの値が通常使用する電力に設定されると、電力設定信号Ｐｃが電力判別信号Ｐｆより大きくなり電力対応鍋検出制御回路の第４の比較回路ＣＰ４は鍋検出制御信号をＨｉｇｈレベルにしてアンド回路ＡＮＤに出力する。よって、上記アンド回路ＡＮＤは鍋無検出信号ＣｐがＨｉｇｈレベルになると出力信号をＨｉｇｈレベルにしてインバータ駆動回路ＳＤを停止させる。
【００４２】
電力設定信号Ｐｃの値が最小使用電力に設定されると、電力設定信号Ｐｃが電力判別信号Ｐｆより小さくなり電力対応鍋検出制御回路の第４の比較回路ＣＰ４は鍋検出制御信号Ｃｐ４をＬｏｗレベルにしてアンド回路ＡＮＤに出力される。上記アンド回路ＡＮＤは上記鍋検出制御信号ＣｐがＬｏｗレベルなると上記鍋無検出信号Ｃｐに関係なく出力信号がＬｏｗレベルになりインバータ駆動回路ＳＤを動作させる。
【００４３】
上記アンド回路ＡＮＤの出力信号がＨｉｇｈレベルになり上記インバータ駆動回路ＳＤが停止しているきに、表示器ＬＥＤを点燈して鍋無し状態を表示する
【００４４】
【発明の効果】
本発明の電磁誘導加熱調理器では、電力設定値を小さく設定して調理を行ったときに鍋検出回路の動作を自動的に止める、インバータ回路が停止することなく調理が継続できる。また、鍋の径の大きさの違いによって小さい鍋を鍋無しと判別してしまう問題も解決できる。
【図面の簡単な説明】
【図１】本発明の電磁誘導加熱調理器の電気接続図である。
【図２】図１に示す、位相差検出回路の詳細接続図である。
【図３】本発明の動作を説明する波形図である。
【図４】実施例２の電磁誘導加熱調理器の電気接続図である。
【図５】図４に示す、電流保持回路の詳細接続図である。
【図６】実施例２の動作を説明する波形図である。
【図７】実施例３の電磁誘導加熱調理器の電気接続図である。
【図８】従来技術の電磁誘導加熱調理器の電気接続図である。
【符号の説明】
ＡＮＤ          アンド回路
ＣＯ            差動増幅回路
ＣＰ            比較回路
Ｃ１            平滑コンデンサ
Ｃ２            共振コンデンサ
Ｃ３            共振コンデンサ
Ｃ４            コンデンサ
ＣＰ２          第２の比較回路
ＣＰ３          第３の比較回路
ＣＰ４          第４の比較回路
ＣＴ２          出力電流検出回路
ＣＶ２          出力電圧検出回路
ＤＲ１          整流回路
ＤＲ２          ダイオード
ＥＰ            電流保持回路
ＦＶ            周波数・電圧変換回路
ＨＬ            誘導加熱コイル
ＩＤ            入力電流検出回路
ＩＶ            入力電圧検出回路
ＬＥＤ          表示器
ＯＡ            操作パネル
ＯＰ            増幅回路
ＰＢ            鍋
ＰＣ            電力設定回路
ＰＤ            位相差検出回路
ＰＥ            位相差・電圧変換回路
ＰＫ            パルス化回路
ＰＬ            トッププレート
Ｒ１            抵抗器
ＳＡ            電力演算回路
ＳＣ            制御演算回路
ＳＤ            インバータ駆動回路
ＴＳ            加熱スイッチ
ＴＲ１          スイッチング素子
ＴＲ２          スイッチング素子
ＷＤ            両波整流回路
Ｃｐ            鍋無検出信号
Ｃｐ２          鍋検出制御信号
Ｃｔ２          出力電流検出信号
Ｃｖ２          出力電圧検出信号
Ｅｐ            電流保持信号
Ｅｒ            電流判別信号
Ｆｖ            周波数・電圧変換信号
Ｆｒ            周波数判別信号
Ｉｄ            入力電流検出信号
Ｉｖ            入力電圧検出信号
ΔＩ            差動増幅信号
Ｌｄ            表示信号
Ｏａ            操作信号
Ｐｃ            電力設定信号
Ｐｄ            位相差検出信号
Ｐｆ            電力判別信号
Ｐｋ            パルス信号
Ｐｒ            位相差判別信号
Ｓａ            電力演算信号
Ｓｃ            制御演算信号
Ｔｓ            加熱開始信号
Ｓｄ１          スイッチング素子駆動信号
Ｓｄ２          スイッチング素子駆動信号
Ｗｄ            両波整流信号
【図１】
2004253297.tif 000003
【図２】
2004253297.tif 000004
【図３】
2004253297.tif 000005
【図４】
2004253297.tif 000006
【図５】
2004253297.tif 000007
【図６】
2004253297.tif 000008
【図７】
2004253297.tif 000009
【図８】
2004253297.tif 000010